(57)【特許請求の範囲】
【請求項１】
単独処理浄化槽に前処理浄化手段を接続することにより、屎尿と、台所排水、洗濯排水、洗面・浴室排水等の生活雑排水の浄化処理を可能とする合併処理化装置であって、前記前処理浄化手段は、嫌気処理を実行する第１の処理部と、流量調整機構を配設して、下流側への移流量の調節を実行する第２の処理部を備え、前記第２の処理部は前記第１の処理部の下流側に設けられ、単独処理浄化槽は、少なくとも嫌気処理部及び／又は好気処理部を有し、前記前処理浄化手段の第１の処理部は屎尿、台所排水、洗濯排水、洗面排水配管が接続され、第２の処理部は浴室排水配管が連結され、前処理浄化手段の第２の処理部の下流側に単独処理浄化槽を配管接続したことを特徴とする合併処理化装置。
【請求項２】
第２の処理部は第１の処理部の下流側に配管接続されてなる請求項１に記載の合併処理化装置。
【請求項３】
前記第２の処理部は、前記流量調整機構の上流側に配管を備え、浴室排水配管は、前処理浄化手段の第１の処理部の下流側に配設される、前記配管に接続されてなる請求項２に記載の合併処理化装置。
【発明の詳細な説明】
【０００１】
【発明の属する技術分野】
本発明は、屎尿と、台所排水、洗濯排水、洗面・浴室排水等の生活雑排水の浄化処理を可能とする合併処理化装置に関する。
【０００２】
【従来の技術】
従来から、屎尿の浄化を行う装置としては、単独処理浄化槽を用いている。図３は、分離接触ばっ気方式の単独処理浄化槽を示す概略断面図である。
屎尿は、流入口２から沈殿分離室３へと流入し、固液分離及び嫌気処理が行われ、接触ばっ気室４へと移流する。接触ばっ気室４内では、移流した水が散気管７から散気される空気の泡により攪拌されて接触材８に接触し、栄養基質の酸化除去が徐々に行われる。接触材８は、攪拌を継続していると生物膜が厚く堆積し閉塞するので、定期的に逆洗管９より空気泡を吐出することで生物膜を剥離させる。接触ばっ気室４を通過した水は、沈殿室５にて固形分の沈殿分離を行ってから、分離した上澄み液を消毒室６へと移流させ、滅菌処理を施した後に流出口４０より放流される構成となっている。なお、好気処理方法として接触ばっ気法を示したが、空気泡を放散して空気攪拌のみによるばっ気方法もある。
【０００３】
【発明が解決しようとする課題】
しかしながら、単独処理浄化槽は、容量が小さく処理すべき水の種類が屎尿に限定され、台所排水、洗濯排水、洗面排水及び浴室排水等の生活雑排水を処理できないとの課題を有している。
このような問題は、既設の単独処理浄化槽を撤去して新たに合併処理浄化槽を設置することで解決できるが、施工費用が高額となるばかりでなく、多くの単独処理浄化槽がＦＲＰ製であることから、不要となった単独処理浄化槽の処分に関しても新たな問題を発生させていた。また、単独処理浄化槽を掘り起こすことなく、埋め殺す場合には、処分に関する問題は発生しないものの、土地の有効活用ができないとする別の問題を発生させている。
【０００４】
本発明は、上記のような課題に鑑みてなされたものであり、既設の単独処理浄化槽を有効利用することで、単独処理浄化槽の処分問題を解決すると共に、新たに合併処理浄化槽を購入するよりも安価に屎尿処理と生活雑排水処理を可能とする合併処理化装置を提供することを目的とする。
【０００５】
【課題を解決するための手段】
本発明の合併処理化装置は、既設の少なくとも嫌気処理部及び／又は好気処理部を有した単独処理浄化槽を利用して、単独処理浄化槽に前処理浄化手段を接続することにより、屎尿と、台所排水、洗濯排水、洗面・浴室排水等の生活雑排水の浄化処理を可能とする構成を有する。
前記前処理浄化手段は、屎尿、台所排水、洗濯排水、洗面排水配管が接続されて嫌気処理を実行する第１の処理部と、浴室排水配管が連結され、流量調整機構を配設した第２の処理部を備え、単独処理浄化槽の上流側に前記前処理浄化手段を配管接続し、単独処理浄化装置への移流量の調節を実行する構成を具備する。
【０００６】
また、第２の処理部は第１の処理部の下流側に配管接続され、またこの配管に浴室排水配管を接続する構成を有する。
【０００７】
【発明の実施の形態】
次に図面を参照して発明の実施の形態を説明する。
本発明の合併処理化装置を構成する単独処理浄化装置（以下単独処理浄化槽という）は、少なくとも嫌気処理部及び／又は好気処理部を有するものであれば特に限定されるものではない。具体的には、従来技術にて説明したように、流入口及び流出口を有し、内部に上流側から沈殿分離室、接触ばっ気室、沈殿室、消毒室を設けたものを好適に用いることができる。
【０００８】
本発明の前処理浄化手段は既設の単独処理浄化槽の上流側に配設される。前処理浄化手段の第１の処理部（槽）は、少なくとも嫌気処理を行うための沈殿槽があれば特に限定されるものではない。
【０００９】
本発明の前処理浄化手段の第２の処理部（槽）は、槽内の排水を汲み上げるポンプが配設されている。
【００１０】
そして、前処理手段の第１の処理槽には屎尿、台所排水、洗濯排水、洗面排水配管を接続し、第２の処理槽には浴室排水が流入される構成となっている。
第２の処理槽は、短時間に多量の排水が発生する浴室排水の流入に対してポンプの汲み上げにより単独浄化処理槽への急激的な排水量の流量変動を防止し、確実な嫌気・好気処理を実行している。
また、第２の処理槽に散気手段を配設し、予備ばっ気することにより好気処理を行っても良い。
【００１１】
（実施例）
以下図面を用いて、本発明の実施例を説明する。
図１、２は、本発明の一実施例を示す合併処理化装置１００の構成説明図であり、図１は概略側断面図を示し、図２は概略平面図を示す。
【００１２】
合併処理化装置１００は、第１の処理槽１０と第２の処理槽２０と第３の処理槽（既設の単独処理浄化槽）３０を配管接続して構成される。ここで、第１の処理槽１０と第２の処理槽２０は単独処理浄化槽３０に流入する排水の前処理を実行する。
第１の処理槽１０は流入口１１を配管５１に接続する。流出口１３は第１の連結配管５５を介して第２の処理槽２０の流入口２１に接続している。第１の処理槽１０は、嫌気処理を実行する。
第２の処理槽２０は、ポンプ２５が設置されている。そして、汚水の流入口２１および流出口２３を備えている。また、第２の処理槽２０には散気手段２４を配設し、予備ばっ気をすることにより、第２の処理槽２０にて好気処理を行うことで、第３の処理槽（既設の単独処理浄化槽）の負荷を軽減させている。
【００１３】
また、第１の処理槽１０と第２の処理槽２０を連結する第１の連結配管５５途上には浴室排水ｂを搬送する浴室排水配管５３を連結している。
ポンプ２５で汲み上げた排水は第２の処理槽の流出口２３に連絡する第２の連結配管５９から第３の処理槽（既設の単独処理浄化槽）３０に流入する。
【００１４】
単独処理浄化槽３０は、既設のものを利用する。その内部構造は、例えば、上流側から流入口３１、沈殿分離室３２、接触ばっ気室３３、沈殿室３４、消毒室３５、流出口３６を設けている。
【００１５】
次に、水の流れについて説明する。
家庭から排出される屎尿、台所排水、洗濯排水、洗面排水ａは、配管５１から第１の処理槽１０内に流入する。そこで、嫌気処理されて第１の連結配管５５を通って第２の処理槽２０内に流入する。一方、浴室排水ｂは、浴室排水配管５３から第１の連結配管５５に流入し、第２の処理槽２０に流入する。
【００１６】
第２の処理槽２０に流入した屎尿、台所排水、洗濯排水、洗面排水等の排水ａ、および浴室排水ｂはポンプ２５により汲み上げられて第２の連結配管５９から単独処理浄化槽３０内に移流される。
第２の処理槽２０においては、ポンプ２５により単独処理浄化槽３０への流出量の調節が可能である。
【００１７】
流入量を調節されて単独処理浄化槽３０の流入口３１から沈殿分離室３２へと流入する排水は、沈殿分離室３２において固液分離及び嫌気処理を行われる。そして、接触ばっ気室３３にて栄養基質の酸化除去が行われる。接触ばっ気室３３を通過した排水は、沈殿室３４内で固形分の沈殿分離を行い、消毒室３５にて滅菌処理を行われた後に流出口３６から排出される。なお、浴室排水は、洗い場の排水を含まない浴室排水であるとさらに良い。この際、洗い場の排水は、屎尿、台所、洗濯、洗面排水に含まれる。また、台所排水にはデイスポーザ排水を含んでも良い。
【００１８】
このように構成される合併処理化装置は既設の単独処理浄化槽を用いているので、廃棄問題を解決できると共に、前処理手段を併設させることにより屎尿と生活雑排水処理が実行できるので、経済的に合併処理が実行できる。
第１の処理槽は、浴室排水を流入させないので槽を小型に形成できる。また、第２の処理槽にポンプ装置を配設して、移流量の調節ができる構造として、各槽での処理の安定化を図っている。
【００１９】
【発明の効果】
本発明は、既設の単独処理浄化装置（槽）を利用することにより屎尿と生活雑排水の合併処理を可能とすると共に、単独処理浄化槽を処分し新たな合併処理浄化槽を設置する場合に比較し安価に合併処理を行うことが可能であり、単独処理浄化槽の処分問題を解決できる。
【００２０】
また、量が多く排水処理を不安定にしていた浴室排水配管をその他の排水とは別配管にして第２の処理槽に直接流入させる構成とすることにより、嫌気処理を確実に実行できる。また、短時間に多量の排水が流入する第２の処理槽にポンプを配設して流量調節機構を持たせることにより、既設の単独処理浄化槽への排水流入量を規制でき、過負荷をかけることがない。また、第２の処理槽に散気手段を設けることにより、第３の処理槽（既設の単独処理浄化槽）の負荷を軽減することができる。
【００２１】
このように、本発明の合併処理浄化装置は、第１の処理槽での嫌気処理、第２の処理槽での流量調節による前処理された排水が既設の単独処理浄化槽に流入するので、既設の単独処理浄化槽における好気処理が確実に実行でき、装置から排出される処理水は高度な（ＢＯＤ２０ｍｇ／Ｌ以下）処理水質を確保できる。
【図面の簡単な説明】
【図１】本発明の実施の形態例を示す合併処理化装置の概略断面図。
【図２】本発明の実施の形態例を示す合併処理化装置の概略平面図。
【図３】分離接触ばっ気方式の単独処理浄化槽の従来例を示す説明側面図。
【符号の説明】
１  単独処理浄化槽
２、３１  流入口
３、３２  沈殿分離室
４、３３  接触ばっ気室
５、３４  沈殿室
６、３５  消毒室
７  散気管
８  接触材
９  逆洗管
１０  第１の処理槽
１１  流入口
１３  流出口
２０  第２の処理槽
２４  散気手段
２５  ポンプ
３０  第３の処理槽（単独処理浄化槽）
５１  屎尿、台所、洗濯、洗面排水配管
５３  浴室排水配管
５５  連結配管
５９  第２の連結配管
１００  合併処理化装置
【図１】
0004334746.tif 000002
【図２】
0004334746.tif 000003
【図３】
0004334746.tif 000004